(57)【要約】      （修正有）【課題】格納コンテナの破断を検出するための検査を短縮化及び単純化することのできる格納コンテナを提供する。【解決手段】ドア又は点検窓といった障壁と、障壁の破断を監視及び／又は検出するための破断検出器とを含む格納コンテナである。破断検出器は、障壁のフロントパネル３００とバックパネル３０４との間に配置され、フロントパネルとバックパネルによって画定されうるスロット３０６と、スロット内のインジケータ２００Ａ、Ｂとを有するインジケータアセンブリを含む。前記インジケータアセンブリは、障壁が第１の位置（例えば、閉鎖又はシール位置）にあるときインジケータを第１の状態に維持し、且つ障壁が第１の位置から第２の位置（例えば、開封又は破断位置）に移動するとインジケータを第２の状態へと解放するリテーナ３０８をさらに含む。障壁を第１の位置に戻しても、前記インジケータは、第１の状態にリセットされるまで第２の状態に留まる。【選択図】図３
2019077434.tif 000002
【特許請求の範囲】
【請求項１】
スロット（３０６、７２０）を画定し、さらには前記スロット（３０６、７２０）に開口するウィンドウ（３０２、４２２、１９０４、２１０４）を画定する障壁（１０６、４０６、１００４、１１０８、１９０２、２１０２）、
前記障壁（１０６、４０６、１００４、１１０８、１９０２、２１０２）が第１の位置と第２の位置との間を移動するように可動に取り付けられているフレーム（１０２）、
前記スロット（３０６、７２０）内に摺動可能に位置するインジケータ（２００、４１２、１００８、１９０８、２００Ａ、２００Ｂ）、及び
前記フレーム（１０２）に取り付けられたリテーナ（３０８、１０１０）
を備えたコンテナアセンブリであって、
前記リテーナ（３０８、１０１０）が、前記障壁（１０６、４０６、１００４、１１０８、１９０２、２１０２）が前記第１の位置にあるときには前記インジケータ（２００、４１２、１００８、１９０８、２００Ａ、２００Ｂ）を前記スロット（３０６、７２０）内で第１の状態に維持するように構成されており、
前記リテーナ（３０８、１０１０）がさらに、前記インジケータ（２００、４１２、１００８、１９０８、２００Ａ、２００Ｂ）が前記第１の状態にあり、前記障壁（１０６、４０６、１００４、１１０８、１９０２、２１０２）が前記第１の位置から第２の位置に向かって移動するとき、前記インジケータ（２００、４１２、１００８、１９０８、２００Ａ、２００Ｂ）を前記第２の状態へと解放するように構成されており、且つ
前記第２の状態が、前記障壁（１０６、４０６、１００４、１１０８、１９０２、２１０２）が前記第１の位置から前記第２の位置に向かって移動したことを示す、
コンテナアセンブリ。
【請求項２】
前記リテーナ（３０８、１０１０）によって解放されると、前記インジケータ（２００、４１２、１００８、１９０８、２００Ａ、２００Ｂ）が、前記ウィンドウ（３０２、４２２、１９０４、２１０４）を通して見えるように、前記スロット（３０６、７２０）内で前記第１の状態から前記ウィンドウ（３０２、４２２、１９０４、２１０４）に向かって前記第２の状態へと摺動するように構成されている、請求項１に記載のコンテナアセンブリ。
【請求項３】
前記障壁（１０６、４０６、１００４、１１０８、１９０２、２１０２）が、第１の縁部（１２０）と、前記第１の縁部（１２０）の反対側の第２の縁部（１２２）とを含み、
前記障壁（１０６、４０６、１００４、１１０８、１９０２、２１０２）が、前記障壁（１０６、４０６、１００４、１１０８、１９０２、２１０２）の前記第１の縁部（１２０）に沿って前記フレーム（１０２）に取り付けられており、
前記コンテナアセンブリが、前記障壁（１０６、４０６、１００４、１１０８、１９０２、２１０２）が前記コンテナアセンブリの使用中に前記第１の位置にあるとき、前記第２の縁部（１２２）が前記第１の縁部（１２０）の上方に位置するように構成されており、
前記コンテナアセンブリがさらに、前記障壁（１０６、４０６、１００４、１１０８、１９０２、２１０２）が前記コンテナアセンブリの使用中に前記第２の位置にあるとき、前記第２の縁部（１２２）が前記第１の縁部（１２０）に又は前記第１の縁部の下に位置するように構成されている、
請求項１又は２に記載のコンテナアセンブリ。
【請求項４】
前記スロット（３０６、７２０）が、
前記第２の縁部（１２２）から前記第１の縁部（１２０）に向かって延びる第１のスロットセグメント（３２０）；及び
前記第２の縁部（１２２）から前記第１の縁部（１２０）に向かって延びる第２のスロットセグメント（３２２）
を含み、前記第１のスロットセグメント（３２０）と前記第２のスロットセグメント（３２２）とが３０°から１７４°の範囲の角度で交差する、
請求項３に記載のコンテナアセンブリ。
【請求項５】
前記インジケータ（２００、４１２、１００８、１９０８、２００Ａ、２００Ｂ）が、前記第１の状態にあるときには前記ウィンドウ（３０２、４２２、１９０４、２１０４）を通して第１の可視度を有し、
前記インジケータ（２００、４１２、１００８、１９０８、２００Ａ、２００Ｂ）が、前記第２の状態にあるときには前記ウィンドウ（３０２、４２２、１９０４、２１０４）を通して第２の可視度を有し、
前記第１の可視度が前記第２の可視度より大きい、請求項１から４のいずれか一項に記載のコンテナアセンブリ。
【請求項６】
前記インジケータ（２００、４１２、１００８、１９０８、２００Ａ、２００Ｂ）が、前記第１の状態にあるときには前記ウィンドウ（３０２、４２２、１９０４、２１０４）を通して見えず、
前記インジケータ（２００、４１２、１００８、１９０８、２００Ａ、２００Ｂ）が、前記第２の状態にあるときには前記ウィンドウ（３０２、４２２、１９０４、２１０４）を通して少なくとも部分的に見える、
請求項５に記載のコンテナアセンブリ。
【請求項７】
前記インジケータ（２００、４１２、１００８、１９０８、２００Ａ、２００Ｂ）が、前記第２の状態にあるときには、前記障壁（１０６、４０６、１００４、１１０８、１９０２、２１０２）が閉鎖位置へと移動するとき及び前記障壁（１０６、４０６、１００４、１１０８、１９０２、２１０２）が前記第２の位置にあるとき、リセットされるまで前記第２の状態に留まるように構成されている、請求項１から６のいずれか一項に記載のコンテナアセンブリ。
【請求項８】
前記障壁（１０６、４０６、１００４、１１０８、１９０２、２１０２）が、
前記ウィンドウ（３０２、４２２、１９０４、２１０４）を含むフロントパネル（３００、４１６、１７０２、２３０２）、及び
バックパネル（３０４、４１８）
を含み、前記スロット（３０６、７２０）が、前記フロントパネル（３００、４１６、１７０２、２３０２）と前記バックパネル（３０４、４１８）との間に位置する、請求項１から７のいずれか一項に記載のコンテナアセンブリ。
【請求項９】
前記リテーナ（３０８、１０１０）が磁石を含み、前記インジケータ（２００、４１２、１００８、１９０８、２００Ａ、２００Ｂ）が磁性材料を含む、請求項１から８のいずれか一項に記載のコンテナアセンブリ。
【請求項１０】
前記インジケータ（２００、４１２、１００８、１９０８、２００Ａ、２００Ｂ）が、ノッチ（４２８）を少なくとも部分的に画定するアーム（４２４）を含み、
前記リテーナ（３０８、１０１０）が、前記フレーム（１０２）に取り付けられた支柱（４１４）を含み、
前記インジケータ（２００、４１２、１００８、１９０８、２００Ａ、２００Ｂ）が、前記第１の状態にあるときには前記アーム（４２４）によって前記支柱（４１４）に引っかかる、
請求項１から９のいずれか一項に記載のコンテナアセンブリ。
【請求項１１】
破断インジケータ（２００、４１２、１００８、１９０８、２００Ａ、２００Ｂ）を備える格納コンテナ（１００、４００、８０２、１０００、１１００、１７００、１９００、２１００、２３００）であって、
格納エリアを画定するハウジング（１０２、４０２、１００６）、
第１の位置と第２の位置との間を移動するように前記ハウジング（１０２、４０２、１００６）に可動に取り付けられた障壁（１０６、４０６、１００４、１１０８、１９０２、２１０２）であって、スロット（３０６、７２０）を画定し、さらには前記スロット（３０６、７２０）に開口するウィンドウ（３０２、４２２、１９０４、２１０４）を画定する前記障壁（１０６、４０６、１００４、１１０８、１９０２、２１０２）、
前記スロット（３０６、７２０）内に摺動可能に位置するインジケータ（２００、４１２、１００８、１９０８、２００Ａ、２００Ｂ）、及び
前記ハウジング（１０２、４０２、１００６）に取り付けられたリテーナ（３０８、１０１０）
をさらに備え、
前記リテーナ（３０８、１０１０）が、前記障壁（１０６、４０６、１００４、１１０８、１９０２、２１０２）が前記第１の位置にあるときには前記インジケータ（２００、４１２、１００８、１９０８、２００Ａ、２００Ｂ）を前記スロット（３０６、７２０）内で第１の状態に維持するように構成されており、
前記リテーナ（３０８、１０１０）がさらに、前記障壁（１０６、４０６、１００４、１１０８、１９０２、２１０２）が前記第１の位置から前記第２の位置に向かって移動すると、前記インジケータ（２００、４１２、１００８、１９０８、２００Ａ、２００Ｂ）が、前記ウィンドウ（３０２、４２２、１９０４、２１０４）を通して見えるように、前記スロット（３０６、７２０）内で前記第１の状態から前記ウィンドウ（３０２、４２２、１９０４、２１０４）に向かって第２の状態へと摺動するように、構成されている、
格納コンテナ（１００、４００、８０２、１０００、１１００、１７００、１９００、２１００、２３００）。
【請求項１２】
前記障壁（１０６、４０６、１００４、１１０８、１９０２、２１０２）が、第１の縁部（１２０）と、前記第１の縁部（１２０）の反対側の第２の縁部（１２２）とを含み、
前記障壁（１０６、４０６、１００４、１１０８、１９０２、２１０２）が、前記障壁（１０６、４０６、１００４、１１０８、１９０２、２１０２）の前記第１の縁部（１２０）に沿って前記ハウジング（１０２、４０２、１００６）に取り付けられており、
前記格納コンテナ（１００、４００、８０２、１０００、１１００、１７００、１９００、２１００、２３００）が、前記障壁（１０６、４０６、１００４、１１０８、１９０２、２１０２）が前記格納コンテナ（１００、４００、８０２、１０００、１１００、１７００、１９００、２１００、２３００）の使用中に前記第１の位置にあるときには前記第２の縁部（１２２）が前記第１の縁部（１２０）の上方に位置するように構成されており、
前記格納コンテナ（１００、４００、８０２、１０００、１１００、１７００、１９００、２１００、２３００）がさらに、前記障壁（１０６、４０６、１００４、１１０８、１９０２、２１０２）が前記格納コンテナ（１００、４００、８０２、１０００、１１００、１７００、１９００、２１００、２３００）の使用中に前記第２の位置にあるときには前記第２の縁部（１２２）が前記第１の縁部（１２０）に又は前記第１の縁部の下に位置するように構成されており、
前記スロット（３０６、７２０）が、
前記第２の縁部（１２２）から前記第１の縁部（１２０）に向かって延びる第１のスロットセグメント（３２０）；及び
前記第２の縁部（１２２）から前記第１の縁部（１２０）に向かって延びる第２のスロットセグメント（３２２）
を含み、前記第１のスロットセグメント（３２０）と前記第２のスロットセグメント（３２２）とが３０°から１７４°の範囲の角度で交差する、
請求項１１に記載の格納コンテナ（１００、４００、８０２、１０００、１１００、１７００、１９００、２１００、２３００）。
【請求項１３】
前記インジケータ（２００、４１２、１００８、１９０８、２００Ａ、２００Ｂ）が、前記第１の状態にあるときには前記ウィンドウ（３０２、４２２、１９０４、２１０４）を通して見えず、
前記インジケータ（２００、４１２、１００８、１９０８、２００Ａ、２００Ｂ）が、前記第２の状態にあるときには前記ウィンドウ（３０２、４２２、１９０４、２１０４）を通して少なくとも部分的に見える、
請求項１１又は１２に記載の格納コンテナ（１００、４００、８０２、１０００、１１００、１７００、１９００、２１００、２３００）。
【請求項１４】
前記インジケータ（２００、４１２、１００８、１９０８、２００Ａ、２００Ｂ）が、前記第２の状態にあるときには、前記障壁（１０６、４０６、１００４、１１０８、１９０２、２１０２）が前記第１の位置にあるとき及び前記障壁（１０６、４０６、１００４、１１０８、１９０２、２１０２）が前記第２の位置にあるとき、リセットされるまで前記第２の状態に留まるように構成されている、請求項１１から１３のいずれか一項に記載の前記格納コンテナ（２００、４１２、１００８、１９０８、２００Ａ、２００Ｂ）。
【請求項１５】
前記障壁（１０６、４０６、１００４、１１０８、１９０２、２１０２）が、
フロントパネル（３００、４１６、１７０２、２３０２）、及び
前記フロントパネル（３００、４１６、１７０２、２３０２）に取り付けられたバックパネル（３０４、４１８）
を含み、前記スロット（３０６、７２０）が前記フロントパネル（３００、４１６、１７０２、２３０２）と前記バックパネル（３０４、４１８）との間に位置している、請求項１１から１４のいずれか一項に記載の格納コンテナ（１００、４００、８０２、１０００、１１００、１７００、１９００、２１００、２３００）。
【請求項１６】
前記フロントパネル（３００、４１６、１７０２、２３０２）及び前記バックパネル（３０４、４１８）が不透明である、請求項１５に記載の格納コンテナ（１００、４００、８０２、１０００、１１００、１７００、１９００、２１００、２３００）。
【請求項１７】
前記リテーナ（３０８、１０１０）が磁石を含み、
前記インジケータ（２００、４１２、１００８、１９０８、２００Ａ、２００Ｂ）が磁性材料を含み、
前記リテーナ（３０８、１０１０）及び前記インジケータ（２００、４１２、１００８、１９０８、２００Ａ、２００Ｂ）が、前記インジケータ（２００、４１２、１００８、１９０８、２００Ａ、２００Ｂ）が磁力を用いて前記第１の状態に維持されるように構成されている、
請求項１１から１６のいずれか一項に記載の格納コンテナ（１００、４００、８０２、１０００、１１００、１７００、１９００、２１００、２３００）。
【請求項１８】
前記インジケータ（２００、４１２、１００８、１９０８、２００Ａ、２００Ｂ）が、ノッチ（４２８）を少なくとも部分的に画定するアーム（４２４）を含み、
前記リテーナ（３０８、１０１０）が、前記ハウジング（１０２、４０２、１００６）に取り付けられた支柱（４１４）を含み、
前記インジケータ（２００、４１２、１００８、１９０８、２００Ａ、２００Ｂ）が、前記第１の状態にあるときには前記アーム（４２４）によって前記支柱（４１４）に引っかかる、
請求項１１から１７のいずれか一項に記載の格納コンテナ（１００、４００、８０２、１０００、１１００、１７００、１９００、２１００、２３００）。
【請求項１９】
航空機（９００）の座席（８００、２５０２）に取り付けられる、請求項１１から１８のいずれか一項に記載の格納コンテナ（１００、４００、８０２、１０００、１１００、１７００、１９００、２１００、２３００）。
【請求項２０】
前記格納エリア内に救命胴衣（３３０）をさらに備える、請求項１９に記載の格納コンテナ（１００、４００、８０２、１０００、１１００、１７００、１９００、２１００、２３００）。
【発明の詳細な説明】
【技術分野】
【０００１】
本発明は、航空機の非常装置の分野に関し、具体的には、例えば、航空機の座席の下に救命胴衣といった物品を格納するために使用することのできる、破断検出器を含む格納コンテナに関する。
【背景技術】
【０００２】
米国連邦法の下では、飛行機に乗員一人につき一つの救命具又は浮き輪（以降「救命胴衣」という）などのデバイスが装備されていない限り、何人も、海上でのいかなる運航においても飛行機を運行することができない。救命胴衣は、各座席使用者からすぐ手の届くところにあって、飛行機から容易に取り外すことができなければならない。旅客航空機では、この要件は一般に、各座席の下に救命胴衣を格納することにより満たされる。
【０００３】
各救命胴衣は、座席下の格納コンテナ内に格納することができる。救命胴衣が格納コンテナ内に配置された後、格納コンテナのドアを閉め、格納コンテナの内容物がテーパされたり取り出されたりしていないこと、又は異物や外部からの物質が格納コンテナ内に何も置かれていないことを保証するための、破断可能な閉鎖具又はシールを取り付けることができる。破断可能な閉鎖具は、破断された格納コンテナを容易に識別するために十分なものでなければならないが、非常時には格納コンテナの内容物に到達するために格納コンテナ内に容易に入ることが可能でなければならず、しかし権限を持たない職員には交換できないものでなければならない。各破断可能な閉鎖具は、格納コンテナが破られていないことを確認するために、権限を有する航空会社の職員によって定期的に検査される。一般に、検査官は各閉鎖具を一つ一つ点検する。このような点検には、目視検査、並びに取り出されたり交換されたりしていないことを確認するために閉鎖具に手で触ることが含まれうる。破断可能な閉鎖具は、一度取り出されたら、未使用のシールで置き換えなければならない。
【０００４】
格納コンテナの破断を検出するための検査を短縮化及び単純化することのできる格納コンテナの閉鎖具の登場が、当技術分野において望まれている。さらに、交換用閉鎖具の供給を維持する必要性を軽減する閉鎖具が望ましいであろう。
【発明の概要】
【０００５】
以下は、本発明の一又は複数の実装態様のいくつかの態様の基本的な理解を提供するために、簡単な概要を提示する。本概要は、広範な概説ではなく、本発明の重要な又は必須の要素を特定すること、又は本発明の範囲を正確に規定することを意図するものでもない。むしろ、本概要の主要な目的は、後に提示される詳細な説明の前置きとして、簡略化形式で一又は複数の概念を提示するためのものに過ぎない。
【０００６】
一実装態様において、コンテナアセンブリは、スロットと、さらにはスロットに開口するウィンドウとが画定された障壁、障壁が、第１の位置と第２の位置との間で移動するように可動に取り付けられたフレーム、及びスロット内部で摺動可能に位置決めされるインジケータを含む。コンテナアセンブリは、フレームに取り付けられたリテーナをさらに含み、このリテーナは、障壁が第１の位置にあるときにインジケータをスロット内で第１の状態に維持するように構成されている。リテーナはさらに、インジケータが第１の状態にあり、障壁が第１の位置から第２の位置に向かって移動するとき、インジケータを第２の状態へと解放するように構成される。第２の状態は、障壁が第１の位置から第２の位置に向かって移動したことを示す。コンテナアセンブリは、リテーナによって解放されると、インジケータが、ウィンドウを通して見えるように、スロット内で第１の状態からウィンドウに向かって第２の状態へと摺動するように構成することができる。障壁は、第１の縁部と、第１の縁部の反対側の第２の縁部とを含むことができる。障壁は、障壁の第１の縁部に沿ってフレームに取り付けることができ、コンテナアセンブリは、コンテナアセンブリの使用中に障壁が第１の位置にあるとき、第２の縁部が第１の縁部の上方に位置するように構成することができる。さらに、コンテナアセンブリは、コンテナアセンブリの使用中に障壁が第２の位置にあるとき、第２の縁部が第１の縁部に又は第１の縁部の下に位置するように構成することができる。
【０００７】
スロットは、第２の縁部から第１の縁部に向かって延びる第１のスロットセグメントと、第２の縁部から第１の縁部に向かって延びる第２のスロットセグメントとを含むことができ、第１のスロットセグメントと第２のスロットセグメントとは、３０°から１７４°の範囲の角度で交差する。インジケータは、第１の状態にあるときウィンドウを通して第１の可視度を有し、第２の状態にあるときウィンドウを通して第２の可視度を有することができ、第１の可視度は第２の可視度より大きい。一実装態様では、インジケータは、第１の状態にあるときウィンドウを通して見えず、第２の状態にあるときウィンドウを通して少なくとも部分的に見える。
【０００８】
インジケータは、第２の状態にあるとき、障壁が閉鎖位置へと移動するとき及び障壁が第２の位置にあるとき、リセットされるまで第２の状態に留まるように構成される。障壁は、ウィンドウを含むフロントパネルとバックパネルとを含むことができ、スロットは、フロントパネルとバックパネルとの間に位置する。リテーナは磁石を含むことができ、インジケータは磁性材料を含むことができる。一実装態様では、インジケータは、ノッチを少なくとも部分的に画定するアームを含むことができ、リテーナは、フレームに取り付けられた支柱を含むことができる。インジケータは、第１の状態にあるとき、アームによって支柱に引っかかることができる。
【０００９】
別の実装態様では、格納コンテナは、破断インジケータ、格納エリアを画定するハウジング、第１の位置と第２の位置との間を移動するようにハウジングに可動に取り付けられた障壁であって、スロットとさらにはスロットに開くウィンドウとを画定する障壁、スロット内部で摺動可能に位置決めされるインジケータ、及びハウジングに取り付けられたリテーナを含む。リテーナは、障壁が第１の位置にあるときインジケータをスロット内で第１の状態に維持し、障壁が第１の位置から第２の位置に向かって移動するとき、インジケータは、ウィンドウを通して見えるように、スロット内で第１の状態からウィンドウに向かって第２の状態へと摺動する。
【００１０】
障壁は、第１の縁部と、第１の縁部の反対側の第２の縁部とを含むことができ、障壁は、障壁の第１の縁部に沿ってハウジングに取り付けることができる。格納コンテナは、格納コンテナの使用中に障壁が第１の位置にあるとき第２の縁部が第１の縁部の上方に位置するように、及び格納コンテナの使用中に障壁が第２の位置にあるとき第２の縁部が第１の縁部に又は第１の縁部の下に位置するように、構成することができる。スロットは、第２の縁部から第１の縁部に向かって延びる第１のスロットセグメントと、第２の縁部から第１の縁部に向かって延びる第２のスロットセグメントとを含むことができ、第１のスロットセグメントと第２のスロットセグメントとは、３０°から１７４°の範囲の角度で交差する。
【００１１】
一実装態様では、インジケータは、第１の状態にあるときウィンドウを通して見えず、第２の状態にあるときウィンドウを通して少なくとも部分的に見える。インジケータは、第２の状態にあるとき、障壁が第１の位置にあるとき及び障壁が第２の位置にあるとき、リセットされるまで第２の状態に留まるように構成することができる。
【００１２】
障壁は、フロントパネルとフロントパネルに取り付けられたバックパネルとを含むことができ、スロットは、フロントパネルとバックパネルとの間に位置する。フロントパネルとバックパネルは不透明とすることができる。リテーナは磁石を含むことができ、インジケータは磁性材料を含むことができ、リテーナとインジケータは、インジケータが磁力を用いて第１の状態に維持されるように構成することができる。インジケータは、ノッチを少なくとも部分的に画定するアームを含むことができ、リテーナは、ハウジングに取り付けられた支柱を含むことができ、インジケータは、第１の状態にあるとき、アームによって支柱に引っかかることができる。格納コンテナは、航空機の座席に取り付けることができ、格納エリア内に救命胴衣を含むことができる。
【図面の簡単な説明】
【００１３】
本明細書に組み込まれ、且つ本明細書の一部を構成する添付図面は、本発明の実装態様を例示しており、説明部分と共に、本発明の原理を説明するために役立つ。
【００１４】
【図１】閉鎖されてシールされた状態にある、本発明の一実装態様による格納コンテナの斜視図である。
【図２】閉鎖が破断された状態にある、図１の実装態様による格納コンテナの斜視図である。
【図３】本発明の一実装態様による格納コンテナの半透視斜視図である。
【図４】本発明の別の実装態様による格納コンテナの半透視斜視図である。
【図５】本発明の一実装態様による、開封位置にある格納コンテナの斜視図である。
【図６】本発明の教示の一実装態様による、閉鎖されてシールされた位置にあるインジケータアセンブリの断面図である。
【図７】破断された部分的開封位置にある、図６の実装態様の断面図である。
【図８】本発明の一実装態様による、各々に格納コンテナが取り付けられている一列の座席を示す斜視図である。
【図９】本発明の一実装態様による、各々に格納コンテナが取り付けられている一又は複数の座席を含むことができる航空機の側面図である。
【図１０】障壁及びインジケータアセンブリを含む格納コンテナの機能的ブロック図である。
【図１１】本発明による格納コンテナの別の実装態様の斜視図である。
【図１２】図１１の格納コンテナの正面図である。
【図１３】図１１、１９、２１、又は２３の格納コンテナの上面図である。
【図１４】図１１、２１、又は２３の格納コンテナの右側面図である。
【図１５】図１１、２１、又は２３の格納コンテナの左側面図である。
【図１６】図１１、１９、又は２３の格納コンテナの底面図である。
【図１７】本発明による格納コンテナの別の実装態様の斜視図である。
【図１８】図１７の格納コンテナの正面図である。
【図１９】本発明による格納コンテナの別の実装態様の斜視図である。
【図２０】図１９の格納コンテナの正面図である。
【図２１】本発明による格納コンテナの別の実装態様の斜視図である。
【図２２】図２１の格納コンテナの正面図である。
【図２３】本発明による格納コンテナの別の実装態様の斜視図である。
【図２４】図２３の格納コンテナの正面図である。
【図２５】本発明の一実装態様による、別の構造に取り付けることのできる格納コンテナの正面図である。
【図２６】本発明の一実装態様による、設置環境における客席などの座席及び取り付けられた格納コンテナの正面図である。
【００１５】
図面のいくつかの細部は、厳密な構造的精度、細部、及び縮尺を維持するよりむしろ、本開示の理解を促すために簡略化されて描画されていることに留意されたい。
【発明を実施するための形態】
【００１６】
ここからは、例が添付図面に例示されている本発明の例示的実装態様を詳しく参照する。概して、同一又は類似の部品に言及するために、図面全体を通して同一の参照番号が使用される。
【００１７】
本発明の一又は複数の実装態様は、格納コンテナが何らかの以前のシステムと比較して、破断又は開封されているかを決定するための格納コンテナの検査を短縮及び簡素化することができる。一実装態様では、格納コンテナが開封されている場合、インジケータアセンブリは、格納コンテナがシールされていることを示す第１の状態（例えば、防護状態、シール状態、閉鎖状態など）から、格納コンテナが破断されたことを示す第２の状態（例えば、非防護状態、非シール状態、破断状態、開封状態など）へと調整される。記述的表示である「第１の状態」及び「第２の状態」は、恣意的なものであり、代替的に、第１の状態が非防護状態、非シール状態、破断状態、開封状態などを示すことができ、第２の状態が防護状態、シール状態、閉鎖状態などを示すことができることを理解されたい。このように、インジケータアセンブリは、観察者に対し、格納コンテナがシールされているか又は破断されたかを示す視覚的識別子を提供する。第２の状態にあるとき、例えば、インジケータアセンブリは、ドアを閉めても第２の状態のままである。インジケータアセンブリは、権限を有する職員により第２の状態から第１の状態へとリセットすることができる。本発明のインジケータアセンブリは、維持及び格納のために交換の閉鎖具の供給を必要とせず、それにより在庫及び運用費を低減する。
【００１８】
本発明の種々の態様を、障壁（例えばドア）によって保護される、物品を格納するための空間を有する格納コンテナに関して説明する。一実装態様では、格納コンテナは、航空機用の救命胴衣の格納コンテナであり、物品は救命胴衣である。しかしながら、本発明が、ドア以外の障壁、例えば点検窓、又は第１の位置（例えば、閉鎖又はシール）から第２の位置（例えば、開封、非シール、又は破断）に向かって又は第２の位置へと摺動、枢動、回転、又はそれ以外の方法で移動するその他の障壁の破断の検出又は監視が望まれる、航空産業以外の分野で使用される構造に適用可能であることが分かるであろう。さらに、本発明は、格納コンテナ以外のコンテナ構造及びコンテナアセンブリに適用可能である。
【００１９】
本発明の目的のために、格納コンテナの一部を形成するインジケータアセンブリは、インジケータ（即ち、ウエハ、チップ、トークンなど）、障壁によって画定されたスロット、及びリテーナといった種々のサブアセンブリを含むことができる。インジケータは、インジケータアセンブリの一部であり、格納コンテナが破断されたかに関するビジュアルキューを提供する。
【００２０】
図１及び２は、本発明の例示的一実装態様による格納コンテナ１００の斜視図である。格納コンテナ１００は、少なくとも部分的に内部格納エリア又は収納区画１０４を画定するフレーム又はハウジング１０２、障壁１０６（例えばドア、パネルなど）、及び少なくとも一つのインジケータアセンブリ１０８を含むことができ、インジケータアセンブリ１０８は障壁１０６により少なくとも部分的に画定され、且つ障壁１０６の内部に包囲される。二つの別個のインジケータアセンブリ１０８が説明を目的として図示されており、インジケータアセンブリを一つだけ有する又は三つ以上のインジケータアセンブリを有する、及び／又は二つ以上の障壁１０６を有するコンテナアセンブリが企図される。障壁１０６は、可動接合部１１０、例えば、障壁１０６が、収納区画１０４への到達を許さない第１の位置（例えば、図１に示されるシール、ロック、又は閉鎖位置）と、収納区画１０４への到達を許す第２の位置（例えば、図５に示される非シール、非ロック、又は開封位置）との間で移動することを可能にするヒンジにより、ハウジング１０２に取り付けることができる。図１の実装態様では、格納コンテナ１００は、例えば、ネジ又はボルトといった一又は複数のファスナ１１６を用いて客席の下側１１４に取り付けられるタブ１１２を含む。格納コンテナ１００は、さらなる固定手段を提供するために、装置、例えば無線周波識別（ＲＦＩＤ）装置（簡単に示すために個別に図示しない）を解放可能に固定するための支持具１１８といった他の任意のフィーチャを含むことができる。加えて、格納コンテナ１００は、簡単に示すために図示されない他の構造又はフィーチャを含むことができ、一方図示される種々の構造及びフィーチャを除去又は変更することができる。
【００２１】
図１は、格納コンテナ１００が破断されたことを示す、第１の状態にあるインジケータアセンブリ１０８を示している。図１では、可動接合部１１０は、ハウジング１０２及び障壁１０６の第１の縁部１２０に沿って位置して同縁部に取り付けられており、障壁１０６の第２の縁部１２２は、第１の縁部１２０の上方に位置している。障壁１０６は、一又は複数の既知の技術、例えば一又は複数のバネ、ピン、内部又は外部ラッチなどを用いて閉鎖位置に解放可能に保持することができる。閉鎖位置から開封位置に向かって障壁１０６を移動させると、第２の縁部１２２が第１の縁部１２０のレベル又はそれより下に位置できるようになって格納コンテナ１００の内部へ到達可能となる。さらに、障壁１０６が閉鎖位置から開封位置に向かって移動すると、インジケータアセンブリ１０８が、格納コンテナ１００の障壁１０６が破断又は開封されていないことを示す第１の状態から、格納コンテナ１００のドアが破断又は開封されたことを示す図２に示される第２の位置へと調整される。障壁１０６が閉鎖位置に向かって移動して閉鎖位置に戻っても、インジケータアセンブリ１０８は、図２に示される第２の状態に留まる。この実装態様では、図２の第２の状態において、インジケータアセンブリ１０８が図１の第１の状態にあるときには見えない一又は複数のトークン、チップ、ウエハ、又は別のインジケータ２００が、図２の第２の状態で見えるようになる。
【００２２】
上述のように動作するように構成された種々の機械的機構が企図される。例えば、図３の実装態様では、障壁１０６は、その中に開口又はウィンドウ３０２を画定する又は有するフロントパネル３００、バックパネル３０４（インジケータアセンブリ１０８が第１の状態又はシール状態にあるときウィンドウ３０２を通して見える）、及びフロントパネル３００  とバックパネル３０４との間に、それらパネルによって画定されるスロット３０６を含んでいる。図３の実装態様では、格納コンテナ１００は、フロントパネル３００内のウィンドウ３０２を通してインジケータ２００が見えないように（又は最小限しか見えないように）、インジケータ２００を第１の状態に位置させる及び／又は維持するように構成されたリテーナ（即ち、解放機構又はリストリクタ）３０８を含むこともできる。障壁１０６を閉鎖位置から開封位置に向かって又は開封位置へと移動させると、リテーナ３０８はインジケータ２００を解放し、インジケータは、スロット３０６を通って開口  ３０２へと移動、走行、回転、降下、枢動、又はそれ以外の方法で通過し、開口において格納コンテナ１００の外部から見える（又はさらに見える）ようになる。
【００２３】
図３の実装態様では、インジケータ２００は、磁力を用いて所定の位置に保持される。例えば、リテーナ３０８及びインジケータ２００の一方（例えばリテーナ３０８）を磁石とし、リテーナ３０８及びインジケータ２００の他方（例えばインジケータ２００）を磁性又は強磁性材料とすることができる。インジケータ２００は、例えば、インジケータ２００を、破断を示す第２の状態から格納コンテナがシールされていることを示す第１の状態へと移動させる磁石を用いて、第２の状態（図３のインジケータ２００Ａ）から第１の状態（図３のインジケータ２００Ｂ）へとオペレータによりリセットされうる。
【００２４】
図３は、スロット３０６が、第２の縁部１２２から、リテーナ３０８から離れて第１の縁部１２０に向かって延びる第１のスロットセグメント３２０を含むことを示している。図３はさらに、スロット３０６が、第１の縁部１２０から第２の縁部１２２に向かって延びる第２のスロットセグメント３２２を含むことを示している。第２のスロットセグメント３２２を含んでいることにより、インジケータ２００が、開封位置から閉鎖位置へドアを閉める又はそれ以外の方法で操作することにより、第２の状態から第１の状態にリセットされることを防止することができる。第２のスロットセグメント３２２が使用されるとき、ドアを閉めることにより、インジケータ２００が第２のスロットセグメント３２２中へと移動し、次いでウィンドウ３０２に戻る。一実装態様では、第１のスロットセグメント３２０を二等分するラインが、第２のスロットセグメント３２２を二等分するラインと約３０°から約１７４°、又は約６０°から約１４０°の斜角「Θ」（図３）で交わることができる。このような範囲外の角度では、スロットセグメントは、開封位置から閉鎖位置へと障壁１０６を閉じるとき又はそれ以外の方法で操作するときに、インジケータアセンブリの無認可のリセットを効果的に防止することができない。
【００２５】
一実装態様では、第１のスロットセグメント３２０は、格納コンテナの設計を知らなくとも、インジケータアセンブリ１０８のリセットを複雑にする、邪魔する、混乱させる、又は他の方法でさらに困難に若しくは非直観的にする設計又はパターン化することができる。例えば、第１のスロットセグメント３２０は、曲がった「Ｓ」字状又は別のパターンに形成することができ、インジケータ２００は、障壁１０６が開封されると、リテーナ３０８から解放されてスロット３０６に沿って第１の状態（例えば、インジケータ２００Ｂによって示される位置）から第２の状態（例えば、インジケータ２００Ａによって示される位置）へと、重量の影響下で転がるように、円形とすることができる。しかしながら、インジケータ２００を第２の状態から第１の状態へリセットすることは、格納コンテナ１００の設計の知識を要する。障壁１０６は不透明とすることができ、したがってスロット３０６のパターンは、目視検査により格納コンテナ１００の外部又は内部から識別することができない。説明を目的として、図３は、スロット３０６及びスロットセグメント３２０、３２２を示す半透視斜視図であり、格納コンテナ１００内部の物品３３０、例えば救命胴衣３３０をさらに示す。
【００２６】
格納コンテナ４００の別の例示的実装態様が、図４〜７の斜視図に示されている。図４及び６は、第１の位置、例えば閉鎖位置又はシール位置にある格納コンテナ４００の障壁を示し、図５及び７は、第２の位置、例えば開封又は破断位置にある格納コンテナ４００の障壁を示している。この実施例は、少なくとも部分的に収納区画４０４を画定するフレーム又はハウジング４０２、及び障壁４０６（例えばドア、パネルなど）を示し、障壁は、閉鎖位置において、格納コンテナ４００の開口４０８に対する障壁、及びしたがって格納コンテナ４００自体に対する障壁を提供する。障壁１０６は、例えば可動接合部４０９（例えばヒンジ）を用いてハウジング４０２に取り付けることができる。格納コンテナ４００は、少なくとも一つのインジケータアセンブリ４１０（例えば破断インジケータアセンブリ４１０）をさらに含む。図４及び５は、シール状態にあるインジケータアセンブリ４１０Ａと破断状態にあるインジケータアセンブリ４１０Ｂとを含む、二つのインジケータアセンブリ４１０を示している。
【００２７】
図４〜７に示すように、特にそれぞれ図４の６−６に沿った図６の断面及び図７の断面において、各インジケータアセンブリ４１０は、インジケータ４１２及び支柱４１４を含み、支柱４１４はハウジング４０２に取り付けられているか、又はハウジング４０２の一部として形成されている。この実装態様では、支柱４１４は、障壁１０６が開封位置に向かって移動するまでインジケータ４１２を解放可能に第１の状態に保持するように構成されたリテーナの少なくとも一部を提供する。障壁１０６は、一緒に障壁１０６内部のスロット７２０を画定するフロントパネル４１６とバックパネル４１８とを含む。フロントパネル４１６は開口又はウィンドウ４２２をさらに画定することができ、この開口又はウィンドウを通して、インジケータアセンブリ４１０が図６の第１の状態（即ちシール状態）にあるときにはバックパネル４１８を、インジケータアセンブリ４１０が図７の第２の状態（即ち破断状態）にあるときにはインジケータ４１２を、それぞれ見ることができる。インジケータ４１２は、フック又はアーム４２４と本体４２６とを含み、アーム４２４は本体４２６から延びてノッチ４２８を画定する。
【００２８】
図４及び６に示されるように、格納コンテナ４００が閉鎖位置にあり、インジケータアセンブリ４１０が第１の状態にあるとき、インジケータ４１２は、アーム４２４によって支柱４１４に引っかかる。第１の状態では、インジケータ４１２はスロット７２０上部の内部に保持されて見えないか、又はウィンドウ４２２を通して最小限しか見えず、バックパネル４１８はウィンドウ４２２を通して見ることができる。障壁１０６が図６の閉鎖位置から図７に示される開封位置に向かって移動すると、フロントパネル４１６とバックパネル４１８によってスロット７２０の内部に保持されるインジケータ４１２は、摺動して支柱４１４から離れ、図７に示されるスロット７２０の下部に向かって又は下部に降下する。この位置で、インジケータ４１２はウィンドウ４２２を通して見え、バックパネル４１８はウィンドウ４２２を通して見えない。
【００２９】
インジケータアセンブリ４１０が図６の第１の状態から図７の第２の状態へとトリガされた後は、障壁１０６を閉鎖してもインジケータアセンブリ４１０は、第１の状態に戻らずに第２の状態に留まり、第１の状態にリセットしなければならない。一実装態様では、インジケータ４１２は磁性材料から製造することができる。
【００３０】
図１〜７は、破断検出及び表示システムを有する格納コンテナ（例えば救命胴衣の格納コンテナ）の例示的実装態様を示しているが、他の実装態様が企図されることを理解されたい。例えば、本明細書に記載されるインジケータアセンブリ又は類似のインジケータアセンブリは、鉛直方向、横方向、又は斜め方向に摺動する点検窓に使用することができる。
【００３１】
図８は、別個の格納コンテナ８０２が各座席８００の下側に取り付けられている複数の座席８００の斜視図である。各格納コンテナ８０２は、救命胴衣（例えば図３の３３０）といった物品を収納区画内部に含まれうる。複数の座席８００は、事業用又は民間航空機９００（図９）又は別の種類のビークルの一部として含めることができる。本発明による破断検出器としてインジケータアセンブリを有する障壁のビークル以外の使用も企図される。
【００３２】
図１０は、本発明の一実装態様による格納コンテナ１０００の機能的ブロック図である。格納コンテナ１０００は、インジケータアセンブリ１００２、障壁１００４、及びハウジング１００６を含む。ハウジング１００６は、救命胴衣又は他の物品を格納するために使用できる格納コンテナ１０００の内部を画定する。インジケータアセンブリ１００２は、障壁１００４内部で位置決めすることのできるインジケータ１００８を含む。インジケータアセンブリ１００２はリテーナ１０１０をさらに含む。インジケータ１００８が、格納コンテナがシールされていることを示す第１の状態（例えば、防護状態、シール状態、閉鎖状態など）にあり、障壁１００４が第１の位置（例えば閉鎖）にあるとき、リテーナ１０１０はインジケータ１００８を第１の状態に維持する。障壁１００４を第２の位置（例えば開封）に向かって移動させると、リテーナ１０１０はインジケータ１００８を、格納コンテナ１０００が破断されたことを示す第２の状態（例えば、非防護状態、非シール状態、破断状態、開封状態など）に解放する。障壁１００４を第１の位置に戻しても、インジケータ１００８は、（例えば権限を有する職員によって手動で）リセットされるまで、第２の状態に留まる。
【００３３】
本発明の種々の実装態様が、当業者には明らかであろう。例えば、図１は、格納コンテナ１００を客席の下側１１４に接続するために使用することのできるタブ１１２を示しているが、他の取り付け具も企図される。図１１は、一対のブラケット１１０２を含む格納コンテナ１１００を示し、各ブラケット１１０２は凹状くぼみ部１１０４を形成又は画定している。ブラケット１１０２は、座席２５０２（例えば客席）のシート部２５００（図２５）に当てて配置し、例えば、ブラケット１１０２に画定された一又は複数の穴１１０６を通して一又は複数のファスナ２５０４（例えばボルト、リベット、ピン、又は別のファスナ）を用いることで、この部分２５００に取り付けることができる。さらに、図３は、特定の形状（弓形又は半円）のウィンドウ３０２を画定する又は有するフロントパネル３００を示しているが、他の様々な形状が企図される。図１１の格納コンテナ１１００は、一対の三日月形状のウィンドウ１１１０を画定する又は有する障壁１１０８を示している。図１１では、この三日月形状のウィンドウ１１１０は鏡面対称を示している。ウィンドウ１１１０の三日月形状は、隣接構造のほぼ水平及び鉛直なラインと対照的であり、破断された格納コンテナ１１００のウィンドウ内部に表示されるインジケータの検出を改善することができる。
【００３４】
図１２は、図１１の格納コンテナ１１００の正面図である。
【００３５】
図１３は、図１１の格納コンテナ１１００の上面図である。
【００３６】
図１４は、図１１の格納コンテナ１１００の右側面図である。
【００３７】
図１５は、図１１の格納コンテナ１１００の左側面図である。
【００３８】
図１６は、図１１の格納コンテナ１１００の底面図である。
【００３９】
図１７は、本発明の別の実装態様による格納コンテナ１７００の斜視図である。格納コンテナ１７００は、他の実装態様について上に記載された任意選択的支持具１１８なしで製造されているが、図１７の実装態様に任意選択的支持具を使用することが企図される。さらに、この実装態様のフロントパネル１７０２は、一対の六角形のウィンドウ１７０４を含む。ウィンドウ１７０４が六角形状で、比較的大きな面積を有することで、破断された格納コンテナ１７００のウィンドウ内部に表示されるインジケータの検出が容易になる。
【００４０】
図１８は、図１７の格納コンテナ１７００の正面図である。
【００４１】
図１９は、本発明の別の実装態様による格納コンテナ１９００の斜視図である。この実装態様は、少なくとも一のウィンドウ１９０４が障壁１９０２の三つの側面（即ち、正面、左側面、及び右側面）に提供されるように、各々が障壁１９０２の鉛直方向に配向された縁部１９０６を包む一対のウィンドウ１９０４を有する障壁１９０２を含む。格納コンテナ１９００が破断状態にあるとき、ウィンドウ１９０４を通して見えるインジケータ１９０８は、図２０の正面図に示される格納コンテナ１９００の正面と、格納コンテナ１９００の左側面及び右側面の両方から見ることができ、これによりインジケータ１９０８の可視度と検出度が上昇している。
【００４２】
図２１は、本発明の別の実装態様による格納コンテナ２１００の斜視図である。この実装態様は、各々が障壁２１０２の下端２１０６に及び／又は同下端２１０６の近くに位置する一対のウィンドウ２１０４を有する障壁２１０２を含む。格納コンテナ２１００が破断状態にあるとき、ウィンドウ２１０４を通して見えるインジケータは、障壁上においてそれよりも高い位置にあるウィンドウと比較したとき、例えば航空機の通路に立っている検査官は、格納コンテナ１９００に対してより高い視点から見ることができる。ウィンドウ２０１４を障壁２１０２の下部に位置させることにより、ウィンドウ２１０４を見る又は検査するために検査官が低い位置に前かがみになったり腰を折り曲げたりする必要がない。
【００４３】
図２２は、図２１の格納コンテナ２１００の正面図である。
【００４４】
図２３は、本発明の別の実装態様による格納コンテナ２３００の斜視図である。この実装態様のフロントパネル２３０２は、一対の正方形のウィンドウ２３０４を含む。ウィンドウ２３０４が正方形で、比較的大きな面積を有することで、破断された格納コンテナ２３００のウィンドウ内部に表示されるインジケータの検出が容易になる。
【００４５】
図２４は、図２３の格納コンテナ２３００の正面図である。
【００４６】
図２５は、本発明による格納コンテナ１１００が取り付けられているシート部２５００を有する客席２５０２の正面図であり、格納コンテナ１１００は、ブラケット１１０２に画定された一又は複数の穴１１０６を通して一又は複数のファスナ２５０４（例えば、ボルト、リベット、ピン、又は別のファスナ）を用いることで、又は別の取り付け方式を用いて、シート部２５００に取り付けられている。
【００４７】
図２６は、座席２５０２（例えば航空機  ９００（図９）又はその他輸送用ビークルの客席）の下側に取り付けられた、設置環境にある格納コンテナ１１００を示す。
【００４８】
図１１、１９、２１、又は２３の格納コンテナの上面図はいずれも図１３の上面図と同様であり、図１１、２１、又は２３の格納コンテナの右側面図はいずれも図１４の右側面図と同様であり、図１１、２１、又は２３の格納コンテナの左側面図はいずれも図１５の左側面図と同様であり、図１１、１７、１９、又は２３の格納コンテナの底面図はいずれも図１６の底面図と同様であることが分かるであろう。
【００４９】
このように、本発明の種々の実装態様は、ドア又は窓のような障壁が破断されたかどうかを監視及び表示するインジケータアセンブリを提供する。第１の即ち防護状態では、インジケータアセンブリは障壁が破断されていないことを示す。障壁を第１の位置（例えば閉鎖位置）から第２の位置（例えば開封位置）に向かって又は第２の位置へと移動させると、インジケータアセンブリは第１の状態から、障壁が破断されたことを示す第２の即ち非防護状態へと調整される。障壁を閉鎖位置へ戻しても、インジケータアセンブリは、権限を有する職員によってリセットされるまで第２の状態にとどまる。インジケータアセンブリは、目視検査時に、障壁がシールされた即ち非開封状態にあるか、又はシールされていない、即ち開封若しくは破断状態にあるかを示すデバイス、ゲージ、目印、又はディスプレイを提供する。目印は、障壁が非破断状態にあるときの第１の可視度と、障壁が破断状態にあるときの、第１の可視度より大きな第２の可視度とを有するインジケータとすることができる。インジケータアセンブリは、動作させるために電力を必要としない機械装置である。
【００５０】
本発明の広い範囲を明記する数値的範囲及びパラメータは近似値であるものの、特定の実施例において明記された数値は、できるだけ正確に報告されている。しかしながら、任意の数値は、それぞれの試験的測定に見られる標準偏差から必然的に生じる若干の誤差を本質的に含んでいる。さらに、本明細書に開示されたすべての範囲は、本明細書内に提示される任意且つすべての部分範囲を包含すると理解されるべきである。例えば、「１０未満」の範囲は、最小値０から最大値１０の間の（それらを含む）任意且つすべての部分範囲を含むことができ、つまり、任意且つすべての部分範囲は、例えば、１から５などの、０以上の最小値及び１０以下の最大値を有している。場合によっては、パラメータとして提示された数値は負の値を取ることができる。この場合、「１０未満」として記載されている例示的範囲は、例えば−１、−２、−３、１０、−２０、−３０などの負の値を想定することができる。
【００５１】
さらに、本開示は下記の条項による実施例を含む。
条項１．スロットを画定し、さらにはスロットに開口するウィンドウを画定する障壁；障壁が、第１の位置と第２の位置との間を移動するように可動に取り付けられているフレーム；スロット内に摺動可能に位置するインジケータ；及びフレームに取り付けられたリテーナを備えたコンテナアセンブリであって、リテーナが、障壁が第１の位置にあるときにはインジケータをスロット内で第１の状態に維持するように構成されており；リテーナがさらに、インジケータが第１の状態にあるとき障壁が第１の位置から第２の位置に向かって移動すると、インジケータを第２の状態へと解放するように構成されており；第２の状態が、障壁が第１の位置から第２の位置に向かって移動したことを示す、コンテナアセンブリ。
条項２．リテーナによって解放されると、インジケータが、ウィンドウを通して見えるように、スロット内で第１の状態からウィンドウに向かって第２の状態へと摺動する、条項１のコンテナアセンブリ。
条項３．障壁が、第１の縁部と、第１の縁部の反対側の第２の縁部とを含み；障壁が、障壁の第１の縁部に沿ってフレームに取り付けられており；コンテナアセンブリが、コンテナアセンブリの使用中に障壁が第１の位置にあるときには第２の縁部が第１の縁部の上方に位置するように構成されており；コンテナアセンブリがさらに、コンテナアセンブリの使用中に障壁が第２の位置にあるときには第２の縁部が第１の縁部と同じか又はそれよりも下に位置するように構成されている、条項１又は２のコンテナアセンブリ。
条項４．スロットが、第２の縁部から第１の縁部に向かって延びる第１のスロットセグメントと、第２の縁部から第１の縁部に向かって延びる第２のスロットセグメントとを含み、第１のスロットセグメントと第２のスロットセグメントとが、３０°から１７４°の範囲の角度で交差する、条項３のコンテナアセンブリ。
条項５．インジケータが、第１の状態にあるときウィンドウを通して第１の可視度を有し、且つ第２の状態にあるときウィンドウを通して第２の可視度を有し、第１の可視度が第２の可視度より大きい、条項１から４のいずれか一つのコンテナアセンブリ。
条項６．インジケータが、第１の状態にあるときにはウィンドウを通して見えず、第２の状態にあるときにはウィンドウを通して少なくとも部分的に見える、条項５のコンテナアセンブリ。
条項７．インジケータが、第２の状態にあるとき、障壁が閉鎖位置へと移動するとき及び障壁が第２の位置にあるとき、リセットされるまで第２の状態に留まるように構成されている、条項１から６のいずれか一つのコンテナアセンブリ。
条項８．障壁が、ウィンドウを含むフロントパネルとバックパネルとを含み、スロットが、フロントパネルとバックパネルとの間に位置している、条項１から７のいずれか一つのコンテナアセンブリ。
条項９．リテーナが磁石を含み、インジケータが磁性材料を含む、条項１から８のいずれか一つのコンテナアセンブリ。
条項１０．インジケータが、ノッチを少なくとも部分的に画定するアームを含み、リテーナが、フレームに取り付けられた支柱を含み、且つインジケータが、第１の状態にあるときアームによって支柱に引っかかる、条項１から９のいずれか一つのコンテナアセンブリ。
条項１１．破断インジケータを備える格納コンテナであって、格納エリアを画定するハウジング；第１の位置と第２の位置との間を移動するようにハウジングに可動に取り付けられた障壁であって、スロットを画定し、さらにはスロットに開口するウィンドウを画定する障壁；スロット内に摺動可能に位置するインジケータ；及びハウジングに取り付けられたリテーナをさらに備え、リテーナが、障壁が第１の位置にあるときにはインジケータをスロット内で第１の状態に維持するように構成されており；リテーナがさらに、障壁が第１の位置から第２の位置に向かって移動するとき、インジケータが、ウィンドウを通して見えるように、スロット内で第１の状態からウィンドウに向かって第２の状態へと移動するように構成されている、格納コンテナ。
条項１２．障壁が、第１の縁部と、第１の縁部の反対側の第２の縁部とを含み；障壁が、障壁の第１の縁部に沿ってハウジングに取り付けられており；格納コンテナが、格納コンテナの使用中に障壁が第１の位置にあるときには第２の縁部が第１の縁部の上方に位置するように構成されており；格納コンテナがさらに、格納コンテナの使用中に障壁が第２の位置にあるときには第２の縁部が第１の縁部に又はそれよりも下に配置されるように構成されており；スロットが：第２の縁部から第１の縁部に向かって延びる第１のスロットセグメント；及び第２の縁部から第１の縁部に向かって延びる第２のスロットセグメントを含み、第１のスロットセグメントと第２のスロットセグメントとが３０°から１７４°の範囲の角度で交差する、条項１１の格納コンテナ。
条項１３．インジケータが、第１の状態にあるときにはウィンドウを通して見えず、第２の状態にあるときにはウィンドウを通して少なくとも部分的に見える、条項１１又は１２の格納コンテナ。
条項１４．インジケータが、第２の状態にあるとき、障壁が第１の位置にあるとき及び障壁が第２の位置にあるとき、リセットされるまで第２の状態に留まるように構成されている、条項１１から１３のいずれか一つの格納コンテナ。
条項１５．障壁が、フロントパネルとフロントパネルに取り付けられたバックパネルとを含み、スロットが、フロントパネルとバックパネルとの間に位置する、条項１１から１４のいずれか一つの格納コンテナ。
条項１６．フロントパネル及びバックパネルが不透明である、条項１５の格納コンテナ。
条項１７．リテーナが磁石を含み；インジケータが磁性材料を含み；リテーナ及びインジケータが、インジケータが磁力を用いて第１の状態に維持されるように構成されている、条項１１から１６のいずれか一つの格納コンテナ。
条項１８．インジケータが、ノッチを少なくとも部分的に画定するアームを含み、リテーナが、ハウジングに取り付けられた支柱を含み、インジケータが、第１の状態にあるときアームによって支柱に引っかかる、条項１１から１７のいずれか一つの格納コンテナ。
条項１９．航空機の座席に取り付けられる、条項１１から１８のいずれか一つの格納コンテナ。
条項２０．格納エリアに救命胴衣をさらに備える、条項１９の格納コンテナ。
【００５２】
本発明について、一又は複数の実施態様を参照して説明したが、特許請求の範囲の主旨及び範囲から逸脱することなく、示された例に対して変更及び／又は修正を行うことが可能である。例えば、プロセスが一連の作用又は事象として記載されているが、本発明はそのような作用又は事象の順番に限定されないことが分かるであろう。そのような作用は、異なる順番で、及び／又は本明細書に記載されたものとは別の作用又は事象と同時に発生させることができる。さらに、本発明の一又は複数の態様又は実装態様に従って方法論を実施するために、すべてのプロセス段階が必要とされるわけではない。構造的構成要素及び／又は処理段階を追加することができるか、又は既存の構造的構成要素及び／又は処理段階を除去又は修正できることが分かるであろう。さらに、本明細書に示された作用のうちの一又は複数は、一又は複数の別個の作用及び／又は段階で実行することができる。さらに、用語「含んでいる」「含む」「有している」「有する」「伴う」又はそれらの変形は、明細書と特許請求の範囲のどちらかで使用されている限り、用語「含む／備える（ｃｏｍｐｒｉｓｉｎｇ）」と同様に包括的であることが意図されている。「〜のうちの少なくとも一つ」という表現は、列挙された項目のうちの一又は複数を選択できることを意味するために使用される。本明細書において列挙されたアイテム、例えばＡ及びＢに関して使用される表現「〜のうちの一又は複数」は、Ａだけ、Ｂだけ、又はＡとＢを意味する。さらに、本明細書の説明及び特許請求の範囲において、一方が他方の「上に」あるなど、二つの材料に関して使用された「上に（ｏｎ）」という用語は、材料間に少なくともいくらかの接触があることを意味するのに対し、「上方に（ｏｖｅｒ）」は、複数の材料が互いに接近しているが、一又は複数の追加の介在材料を伴う場合があり、接触は可能だが必須ではないことを意味する。「上に（ｏｎ）」又は「上方に（ｏｖｅｒ）」はいずれも、本明細書で使用される限り、何らかの方向性を示すわけではない。「コンフォーマル」という用語は、下にある材料の角度がコンフォーマル材料によって保護されるコーティング材を形容する。「約（ａｂｏｕｔ）」という用語は、例示された実装態様に対するプロセス又は構造の不適合を生じさせない限り、列挙された値がいくらか変更可能であることを示す。最後に、「例示的な」は、記述が、理想的であることを示唆するというよりむしろ、例として使用されていることを示している。本明細書の開示内容の仕様及び実践を検討することにより、当業者には本発明の他の実装態様が明らになるだろう。本明細書及び実施例は例示のみを目的とすることが意図されており、本発明の真の範囲及び精神は、特許請求の範囲によって示されている。
【００５３】
本出願で使用される相対位置の用語は、被加工物の配向に関係なく、被加工物の従来の平面又は作業面に平行な平面に基づき定義される。本出願において使用される「水平（ｈｏｒｉｚｏｎｔａｌ）」又は「横方向（ｌａｔｅｒａｌ）」という用語は、被加工物の配向に関係なく、被加工物の従来の平面又は作業面に平行な平面として定義される。「鉛直（ｖｅｒｔｉｃａｌ）」という用語は、水平に直交する方向を指す。「に（おける）、上に（で）（ｏｎ）」「側面（「側壁」においてのように）」「高い」「低い」「上方（ｏｖｅｒ）」「最上部（ｔｏｐ）」「下」などの用語は、被加工物の配向に関係なく、被加工物の最上面にある従来の平面又は作業面に対して定義されている。
【図１】
2019077434.tif 000003
【図２】
2019077434.tif 000004
【図３】
2019077434.tif 000005
【図４】
2019077434.tif 000006
【図５】
2019077434.tif 000007
【図６】
2019077434.tif 000008
【図７】
2019077434.tif 000009
【図８】
2019077434.tif 000010
【図９】
2019077434.tif 000011
【図１０】
2019077434.tif 000012
【図１１】
2019077434.tif 000013
【図１２】
2019077434.tif 000014
【図１３】
2019077434.tif 000015
【図１４】
2019077434.tif 000016
【図１５】
2019077434.tif 000017
【図１６】
2019077434.tif 000018
【図１７】
2019077434.tif 000019
【図１８】
2019077434.tif 000020
【図１９】
2019077434.tif 000021
【図２０】
2019077434.tif 000022
【図２１】
2019077434.tif 000023
【図２２】
2019077434.tif 000024
【図２３】
2019077434.tif 000025
【図２４】
2019077434.tif 000026
【図２５】
2019077434.tif 000027
【図２６】
2019077434.tif 000028
【外国語明細書】
2019077434000001.pdf
2019077434000002.pdf
2019077434000003.pdf
2019077434000004.pdf